(57)【要約】本発明は、テントの設置を迅速かつ容易に行うと共に、テントを構成しているフレームの構造を実用的に単純化させるようにした自動傘式キャノピーテントに関する。特に、傘と類似した作動をすることにより、テントの設置及び撤去をする自動傘式キャノピーテントのフレームにおいて、上部には放射状に多数の上部連結ポール（２４）が回動可能に連結され、下部にはストッパ（２０）が固定され、最下端にはテント（１）上端の中心から延びる連結ロープ（３０）が接続されるロープコネクタ（２２）が一体に備えられる連結部材（１４）と；前記連結部材（１４）に上下に乗下降可能に連結設置され、前記連結部材（１４）の外周縁に放射状に連結設置される上部連結ポール（２４）とヒンジ連結される支持棒（２８）が、回動可能に結合されるスライド部材（１６）と；前記連結部材（１４）に挿入し備えられ、テント（１）の設置時、スライド部材（１６）と連結部材（１４）とが、一定遊隙を形成するように支持する弾性バネ（１８）とを含んで構成される。
2004515671.tif 000002
【特許請求の範囲】
【請求項１】
テントの設置または撤去をするために自動傘と類似した作動をする折り畳みフレームを備える自動傘式キャノピーテントにおいて、
前記フレームは、
上端には放射状に伸びる上部連結ポールを回動可能に連結して、下端にはストッパを装着するとともに、テントの上端の中心部から延びた連結ロープが接続されるロープコネクタを一体に形成した連結部材と、
連結部材の外周に放射状に接続される上部連結ポール及び上部連結ポールとヒンジ連結される支持棒が回動可能に結合され
かつ連結部材の軸部に対して移動可能に設置されて連結部材の軸部に沿って上下動可能であるスライド部材と、
前記連結部材の軸部に装着され、テントの設置時にスライド部材と連結部材の間に所定の間隙を保持するための弾性バネと、
を含むことを特徴とする自動傘式キャノピーテント。
【請求項２】
前記テントを広げて設置が完了した後、スライド部材を押圧すると、前記スライド部材は、押圧力と弾性バネの弾性支持力により下降し、スライド部材に連結されている支持棒の外側端を、この支持棒の内側端の高さより高い位置となるように傾きを形成し、フレーム全体がロックされる請求項１記載の自動傘式キャノピーテント。
【請求項３】
テントの伸張時に、前記スライド部材と連結部材のストッパとの間の所定の間隙が維持されるように、弾性バネを前記連結部材に装着した請求項１記載の自動傘式キャノピーテント。
【発明の詳細な説明】
【０００１】
［発明の属する技術分野］
本発明は、自動傘式キャノピーテントに関し、自動傘と類似した作動をしてテントを伸縮させることで設置及び撤去を行い、テント設置のために拡げられる際に、そのフレームを構成している連結部材に、上部連結ポールを自動的に拡げられるように、弾性復元力に優れたバネを連結設置してテントの設置を迅速かつ容易にし、かつ、テントを構成するフレームの構造を単純化したものに関する。
【０００２】
［従来の技術］
キャノピー（ｃａｎｏｐｙ）テントと呼ばれるものは、迅速かつ容易に設置及び撤去を行うことができるので、キャンプや釣りのようなアウトドアに好適に使用されている。
【０００３】
このようなキャノピーテントは、折り畳み式テント又はジャバラ式テントとも呼ばれる。このキャノピーテントは、伸張又は収縮構造によって、所定の場所に置かれたテントを、容易に短時間に設置または撤去をすることができる。
【０００４】
かかるキャノピーテントには様々な種類がある。従来は、例えば、折り畳み構造の自動傘タイプのキャノピーテントが考えられ、使用されている。このような従来の自動傘タイプの折り畳み構造のキャノピーテントは、従来の自動傘の折り畳み構造から予測されるような同様の方法で、容易にかつ平易に伸張又は伸縮するように設計されている。
【０００５】
このような従来の自動傘タイプの折り畳み構造のキャノピーテントの例を、図６に示す。図示のように、従来の自動傘タイプの折り畳み構造のキャノピーテントは、主軸１１０、上部連結部材１２０、下部連結部材１３０、第１ポール１４０、及び支持棒１５０を含んでいる。
【０００６】
前記主軸１１０は、その上端にナット部１１１を有し、また主軸１１０は、上部連結部材１２０の下端に形成されたボルト部１２１に締結され、テントを設置または撤去する際に、下部連結部材１３０が主軸１１０に沿って上下方向に移動することを可能にする。
【０００７】
前記主軸１１０の上部に締結される上部連結部材１２０が設けられ、この上部連結部材１２０は下部連結部材１３０を固定する固定片１２２を有し、またこの上部連結部材１２０には、第１ポール１４０を締結できるように突起１２４を備えた多数の凹溝１２３が放射状に形成され、かつ最上部にテント布を固定する固定板１２５がボルトにより固定設置される。
【０００８】
前記下部連結部材１３０は、前記主軸１１０に案内されて上下に移動し、第１ポール１４０が締結される上部連結部材１２０に形成された凹溝１２３と同数の凹溝１２３が形成されている。この凹溝１２３には第１ポール１４０を支持する支持棒１５０が締結可能なように突起１３３が形成されている。下部連結部材１３０には、上部連結部材１２０に形成された固定片１２２から離脱可能なように、前記固定片１２２を上部連結部材１２０の内部へ押し込むスイッチ１３１が形成されている。
【０００９】
前記第１ポ−ル１４０は、テントを設置する際の屋根の骨組の役割をする。第１ポール１４０の一端には、上部連結部材１２０の凹溝１２３に形成された突起１２４が挿入可能な挿入溝１４１を形成し、テントの設置時に突起１２４を軸として回動可能として、また中心部には、支持棒１５０が連結される連結部材１４２を形成する。第１ポール１４０の他端には、テントの壁部分となる第２ポ−ル１４０ａが連結される。
【００１０】
前記支持棒１５０は、前記下部連結部材１３０に形成された凹溝１３２に締結され、テントを設置する際にテント布が弾力を受けるように、第１ポ−ル１４０を支持する。
【００１１】
［発明が解決しようとする課題］
しかしながら、このように構成された従来の自動傘タイプの折り畳み構造のキャノピーテントは、それ自体の構造的欠陥により、以下のような問題を発生させる。
【００１２】
第一に、テントを設置する場合、下部連結部材１３０がスライド可能なように、主軸１１０を上部連結部材１２０の下部にボルト締結する。設置後、これを撤去する場合は、主軸１１０のボルトによる締結状態を解除し、上部連結部材１２０から主軸１１０を分離して保管する必要がある。そのため、テントを伸縮させてこれを設置及び撤去する作業を迅速かつ容易に行うことができず、加えて管理上、非常に不便であるという問題が発生する。
【００１３】
テントの設置状態の維持を、固定片１２２とスイッチ１３１のみで支える構造であるが、使用時に、過重によって前記固定片１２２及びスイッチ１３１が容易に破損する。固定片１２２とスイッチ１３１の少なくとも一つが破損すると、テントの設置及び撤去を行うことができなくなる。このような場合、固定片１２２とスイッチ１３１の修理をするか、或いは新しいテントを購入しなければならない。
【００１４】
従来の自動傘タイプの折り畳み構造のキャノピーテントテントでは、その設置及び撤去をするために、必然的に下部連結部材１３０を、主軸１１０と上部連結部材１２０の軸部に沿って上下に移動させなければならない。このテントの他の問題は、自動傘タイプの折り畳み構造のキャノピーテントは、従来の自動傘とは異なり、相当に重く大きい構造であり、下部連結部材１３０を動かすことは容易ではないことである。
【００１５】
本発明は、前記のような従来技術の問題点に鑑みてされたものであって、その目的は、自動傘と類似の作動をすることでテントを伸縮させ、その設置及び撤去を行う自動傘タイプのキャノピーテントにおいて、テント設置のために拡げられる際、そのフレームを構成している連結部材に、上部連結ポールを自動的に拡げることが可能なように、弾性復元力に優れたバネを設け、テントの設置を迅速かつ容易にして、かつ、テントを構成するフレーム構造を単純化した自動傘式キャノピーテントを提供することにある。
【００１６】
［課題を解決するための手段］
前記の目的は、テントの設置または撤去をするために自動傘と類似した作動をする折り畳みフレームを備える自動傘式キャノピーテントにおいて、
前記フレームは、
上端には放射状に伸びる上部連結ポールを回動可能に連結して、下端にはストッパを装着するとともに、テントの上端の中心部から延びた連結ロープが接続されるロープコネクタを一体に形成した連結部材と、
連結部材の外周に放射状に接続される上部連結ポール及び上部連結ポールとヒンジ連結される支持棒が回動可能に結合され
かつ連結部材の軸部に対して移動可能に設置されて連結部材の軸部に沿って上下動可能であるスライド部材と、
前記連結部材の軸部に装着され、テントの設置時にスライド部材と連結部材の間に所定の間隙を保持するための弾性バネと、
を含む自動傘式キャノピーテントにより達成される。
【００１７】
［発明の実施の形態］
以下、添付図面を参照して本発明を更に詳述する。
【００１８】
図１は、本発明による自動傘タイプのキャノピーテントにおける全体フレームの構成を示す分解斜視図である。
【００１９】
図示のように、本実施例によるテント１０のフレーム１２は、連結部材１４、スライド部材１６、弾性バネ１８、上部連結ポール２４、及び支持棒２８を含む。
前記連結部材１４は、テント１０を張る際に、放射状に伸びる多数の上部連結ポール２４を、その上部に回動可能に連結している。この連結部材１４の下端には、ストッパ２０が装着され、また、テント張出しの上端中心部から延びたロープを保持するためのロープコネクタ２２が一体に形成されている。
【００２０】
前記連結部材１４の下部には、支持棒２８を回動可能に結合するスライド部材１６が、上下動可能に連結されている。この支持棒２８には、前記連結部材１４の外周縁に放射状に設置される上部連結ポール２４がヒンジ連結される。
【００２１】
さらに、前記連結部材１４の上部には、テント１の設置時に、スライド部材１６と連結部材１４との間に所定の間隙が形成されるように、これらを支持する弾性バネ１８が設けられる。
【００２２】
上記のように構成された本発明のテントの作動状態を、図面を参照して詳述する。
【００２３】
図２は、本発明による自動傘式キャノピーテントにおいて、テントの設置時のフレームの状態を示す正面図であり、図３は、本発明による自動傘式キャノピーテントにおいて、テントの撤去時のフレームの状態を示す正面図である。
【００２４】
図３に示すように、テント１を折り畳んで撤去する場合は、連結部材１４に回動可能に連結設置されている上部連結ポール２４のうち、対角線方向に位置した上部連結ポール２４の下部を、使用者が握って内側へ強制移動させると、全ての上部連結ポール２４の下部は下降移動しながら折り畳まれる。
【００２５】
更に、上部連結ポール２４の下部を内側へ折り畳み終えた時点で、これを下方へ下降させた後、上部連結ポール２４と回動可能に連結されている下部連結ポール２６の下部を、内側へ移動させて折り畳むと、撤去が完了する。
【００２６】
この際、前記連結部材１４に上下動可能に連結されているスライド部材１６は、上部連結ポール２４に回動可能に連結されている支持棒２８に押され、一定距離分だけ連結部材１４の上部にまで達する。
【００２７】
この過程において、上部にまで達するスライド部材１６は、連結部材１４の外側の上部に連結設置されている弾性バネ１８を強制的に圧縮する。
【００２８】
図２に示すように、テント１を広げて設置する場合には、上部連結ポール２４と接するように折り畳んでいる下部連結ポール２６を、使用者が強制的に移動させて拡げた後、対角線方向に位置した上部連結ポール２４の下部を、使用者が握って強制的に上方向に移動させると、所定の時点で、前記弾性バネ１８の弾性復元力により、上部連結ポール２４の全てが自動的に拡げられ、テント１が設置される。
【００２９】
この際、前記連結部材１４に上下動可能に設置されているスライド部材１６は、弾性バネ１８に押されて下方へ下降するときに支持棒２８を押圧し、上述したように、多数の上部連結ポール２４の全てを拡げられるようにする。
【００３０】
一方、図４（ａ）及び図４（ｂ）に示すように、テント１を拡げて設置を完了した時点では、伝達される力の変化に対抗する支持棒２８とスライド部材１６との連結構造により、フレーム１２の全体がロックされる。
【００３１】
これについて、支持棒２８の変化する傾きの状態を例にして具体的に説明する。
【００３２】
図４（ａ）に示すように、テント１の設置を完了した時点において、スライド連結部材３２に連結された支持棒２８の外側両端は、スライド部材１６に連結されているこの支持棒２８の内側両端の高さより低い位置となるような傾きを形成する。
【００３３】
このような状態は、弾性バネ１８によってテント１が拡がっている状態を維持可能な力を生じているが、外部的な衝撃エネルギーがテント１に伝達された場合には、この状態を堅固に維持することはできない。
【００３４】
しかしながら、この状態において、使用者がスライド部材１６に人為的な力を加えてこれを下降させると、図４（ｂ）に示すように、支持棒２８の外側両端は、内側両端より高い位置となる傾きを形成するようになり、フレーム１２の全体がロックされる。即ち、テントの設置が完了した時点において、使用者がスライド部材１６に人為的な力を加えてこれを押すと、スライド部材１６は、前記使用者から伝達される力と弾性バネ１８の弾性支持力により下降する。
【００３５】
従って、上述したように、支持棒２８の外側両端は、スライド部材１６に連結設置されている支持棒２８の内側両端の高さより高い位置となる傾きを形成するようになる。
【００３６】
このような傾きの状態となった支持棒２８は、上述したように、フレーム２の全体がロックされるように作用し、外部的に如何なる衝撃エネルギーがテント１へ伝達される場合にも、テントを拡げているフレーム１２の状態を堅固に維持することができる。
【００３７】
一方、図５は本発明の他の実施例を示すものであって、図示のように、連結部材１４の下端に位置したスライド部材１６とストッパ２０とが、所定の間隙を有するように支持する弾性バネ３８を設置し、上述した本発明の作用と同一の作用を発揮するようにしたものである。
【００３８】
上述した様に、本発明では、キャノピーテントは自動傘式折りたたみ式フレームを備えている。
【００３９】
［産業上の利用性］
本発明によれば、キャノピーテントの折り畳みフレームは、従来の自動式傘の折り畳みフレームから予測可能な同様の方法で、容易に伸縮するよう設計されている。したがって、使用者はテントを容易に設置及び撤去することができる。本発明のフレームでは、高い復原力を備えたバネが連結部材の軸部に取り付けられ、上部連結ポールを自動的に拡げる。しがたって、フレームの構造を平易にでき、使用者はテントを容易かつ迅速に設置し、撤去することができる。
【００４０】
本発明を説明するために図示及び説明した自動傘式キャノピーテントは、単に一例の基本形態を示すものであるため、本発明は、基本的に、類似の形態及び目的を有する他の形態の自動傘式キャノピーテントをも含んでいる。
【００４１】
これは、以下の特許請求の範囲により規定される本発明の技術的思想や分野を超えない限度内において、本発明が多様に改造及び変化可能であることは、当業界における通常の知識を有する者には容易に理解される。
【図面の簡単な説明】
【図１】本発明による自動傘式キャノピーテントにおける全体フレームの構成状態を示す分解斜視図、
【図２】本発明による自動傘式キャノピーテントにおいて、テントの設置時、そのフレームの状態を示す要部概略正面図、
【図３】本発明による自動傘式キャノピーテントにおいて、テントの撤去時、そのフレームの状態を示す要部概略正面図、
【図４】図４ａ及び４ｂは、本発明による自動傘式キャノピーテントにおけるフレームの要部の作動状態を示す概略正面図、
【図５】本発明の他の実施例による自動傘式キャノピーテントにおけるフレームの要部の作動状態を示す概略正面図、
【図６】従来の傘式キャノピーテントにおける全体フレームの構成状態を示す分解斜視図である。
【符号の説明】
１０ ： テント
１２ ： フレーム
１４ ： 連結部材
１６ ： スライド部材
１８ ： 弾性バネ
２０ ： ストッパ
２２ ： ロープコネクタ
２４ ： 上部連結ポール
２６ ： 下部連結ポール
２８ ： 支持棒
３０ ： 連結ロープ
【図１】
2004515671.tif 000003
【図２】
2004515671.tif 000004
【図３】
2004515671.tif 000005
【図４】
2004515671.tif 000006
【図５】
2004515671.tif 000007
【図６】
2004515671.tif 000008
【国際公開パンフレット】
2004515671.tif 000009
2004515671.tif 000010
2004515671.tif 000011
2004515671.tif 000012
2004515671.tif 000013
2004515671.tif 000014
2004515671.tif 000015
2004515671.tif 000016
2004515671.tif 000017
2004515671.tif 000018
2004515671.tif 000019
2004515671.tif 000020
2004515671.tif 000021
2004515671.tif 000022
2004515671.tif 000023
2004515671.tif 000024
2004515671.tif 000025
2004515671.tif 000026
2004515671.tif 000027
2004515671.tif 000028
2004515671.tif 000029
2004515671.tif 000030
2004515671.tif 000031
2004515671.tif 000032
2004515671.tif 000033
【国際調査報告】
2004515671.tif 000034
2004515671.tif 000035